(57)【要約】【課題】コネクタハウジングへの圧入部分の複数の接続部の並び方向での寸法を小さく抑えることができるジョイント端子を提供すること。【解決手段】基部１０から前方に突出された複数の接続部２０が並ぶ面Ｓと基部１０のコネクタハウジング５０に圧入される部分となる圧入部１１との間に段差を形成して複数の接続部２０と圧入部１１との間を連結し、かつ、コネクタハウジング５０内への挿入完了位置でコネクタハウジング５０の内壁面６３ａに当接されるように基部１０に設けられた段差部１３を有し、圧入部１１は、複数の接続部２０の並び方向の一端側の接続部２０ａから他端側の接続部２０ｄまでの幅よりも小さい幅に設定されている。【選択図】図３
2019096426.tif 000002
【特許請求の範囲】
【請求項１】
基部から前方に突出された複数の接続部が並ぶ面と前記基部のコネクタハウジングに圧入される部分となる圧入部との間に段差を形成して前記複数の接続部と前記圧入部との間を連結し、かつ、前記コネクタハウジング内への挿入完了位置で前記コネクタハウジングの内壁面に当接されるように前記基部に設けられた段差部を有し、
前記圧入部は、
前記複数の接続部の並び方向の一端側の前記接続部から他端側の前記接続部までの幅よりも小さい幅に設定されている
ことを特徴とするジョイント端子。
【請求項２】
当該ジョイント端子の前記コネクタハウジングへの挿入方向に直交する方向に前記基部の後端部から前記基部に対して屈曲して設けられ、かつ、前記コネクタハウジングへの当該ジョイント端子の挿入側での前記コネクタハウジングの開口を塞ぐカバー部を有する
ことを特徴とする請求項１に記載のジョイント端子。
【請求項３】
前記基部は、
前記複数の接続部と前記段差部との間に前記複数の接続部が並ぶ前記面と同一の面を形成して前記複数の接続部の根元に連結される部分となる補強部を有する
ことを特徴とする請求項１または２に記載のジョイント端子。
【発明の詳細な説明】
【技術分野】
【０００１】
本発明は、基部から前方に突出された複数の接続部と、コネクタハウジングに圧入される部分となる圧入部とを有するジョイント端子に関する。
【背景技術】
【０００２】
従来、車両等の電気配線の分岐部分にはジョイントコネクタが用いられ、このジョイントコネクタにはジョイント端子が組み込まれている。
【０００３】
例えば、特許文献１には、基部と、基部から複数に枝分かれした接続部である複数の枝部と、を有し、基部の両側面、および、各枝部の両側面に幅方向に張り出した圧入部位が備えられたジョイント端子としてのコネクタ用ターミナルが記載されている。
【０００４】
また、特許文献２には、第一接点部と、第一接点部から突出部および連結部を間にして複数に枝分かれした接続部である複数の脚部と、を有し、第一接点美の両側面に幅方向に張り出した圧入部分ともなる翼片が備えられたジョイント端子としての端子金具が記載されている。
【０００５】
また、特許文献３には、ベース部と、ベース部から複数に枝分かれした接続部である複数のタブ端子と、を有し、ベース部の両側面に幅方向に張り出した圧入ダボが備えられたジョイント端子金具が記載されている。
【先行技術文献】
【特許文献】
【０００６】
【特許文献１】特開２００４−２７３３９０号公報
【特許文献２】特開２００５−５０５７１号公報
【特許文献３】特開２０１４０−２３２５８４号公報
【発明の概要】
【発明が解決しようとする課題】
【０００７】
しかしながら特許文献１−３に記載されたジョイント端子は、枝分かれした複数の接続部の並び方向の一端側の接続部から他端側の接続部までの幅よりも、基部、第一接点部、あるいは、ベース部に設けられた圧入部分の接続部の並び方向の幅が大きくなるように設定されているため、コネクタハウジングへの圧入部分の複数の接続部の並び方向での寸法が大きくなってしまうという問題があった。
【０００８】
本発明は、上記に鑑みてなされたものであって、コネクタハウジングへの圧入部分の複数の接続部の並び方向での寸法を小さく抑えることができるジョイント端子を提供することを目的とする。
【課題を解決するための手段】
【０００９】
上述した課題を解決し、目的を達成するために、本発明の請求項１に係るジョイント端子は、基部から前方に突出された複数の接続部が並ぶ面と前記基部のコネクタハウジングに圧入される部分となる圧入部との間に段差を形成して前記複数の接続部と前記圧入部との間を連結し、かつ、前記コネクタハウジング内への挿入完了位置で前記コネクタハウジングの内壁面に当接されるように前記基部に設けられた段差部を有し、前記圧入部が、前記複数の接続部の並び方向の一端側の前記接続部から他端側の前記接続部までの幅よりも小さい幅に設定されていることを特徴とする。
【００１０】
また、本発明の請求項２に係るジョイント端子は、上記の発明において、当該ジョイント端子の前記コネクタハウジングへの挿入方向に直交する方向に前記基部の後端部から前記基部に対して屈曲して設けられ、かつ、前記コネクタハウジングへの当該ジョイント端子の挿入側での前記コネクタハウジングの開口を塞ぐカバー部を有することを特徴とする。
【００１１】
また、本発明の請求項３に係るジョイント端子は、上記の発明において、前記基部が、前記複数の接続部と前記段差部との間に前記複数の接続部が並ぶ前記面と同一の面を形成して前記複数の接続部の根元に連結される部分となる補強部を有することを特徴とする。
【発明の効果】
【００１２】
本発明に係るジョイント端子は、前記複数の接続部と前記圧入部との間に前記段差部によって段差が設けられることによって、前記圧入部を前記複数の接続部が並ぶ面と同一の面に設けなくてもよい構成になっている。
このため、本発明に係るジョイント端子は、前記ジョイント端子の前記コネクタハウジングへの挿入方向で前記複数の接続部よりも後方に連結される前記圧入部であっても、前記圧入部の幅を前記複数の接続部の並び方向の一端側の前記接続部から他端側の前記接続部までの幅よりも小さく設定することができ、しかも、前記段差部を前記コネクタハウジング内への挿入完了位置で前記コネクタハウジングの内壁面に当接される位置決め機能をなす部分として利用することができる。
従って、本発明に係るジョイント端子は、コネクタハウジングへの圧入部分の複数の接続部の並び方向での寸法を小さく抑えることができる。
【図面の簡単な説明】
【００１３】
【図１】図１は、本発明の実施例に係るジョイント端子の斜視図である。
【図２】図２は、（ａ）がジョイント端子の上面図であり、（ｂ）がジョイント端子の前面図であり、（ｃ）がジョイント端子の後面図であり、（ｄ）がジョイント端子の側面図である。
【図３】図３は、ジョイントコネクタの分解斜視図である。
【図４】図４は、コネクタハウジングの斜視図である。
【図５】図５は、（ａ）がコネクタハウジングの上面図であり、（ｂ）がコネクタハウジングの後面図であり、（ｃ）がコネクタハウジングの側面図である。
【図６】図６は、ジョイントコネクタをジョイント端子が挿入される開口側から視た図である。
【図７】図７は、（ａ）が図６に示したジョイントコネクタのＡ−Ａ線での断面位置に対応したコネクタハウジングおよびコネクタハウジングに挿入される前のジョイント端子の断面図であり、（ｂ）が図６に示したジョイントコネクタのＡ−Ａ線断面図である。
【図８】図８は、（ａ）が図６に示したジョイントコネクタのＢ−Ｂ線での断面位置に対応したコネクタハウジングおよびコネクタハウジングに挿入される前のジョイント端子の断面図であり、（ｂ）が図６に示したジョイントコネクタのＢ−Ｂ線断面図である。
【図９】図９は、図７（ｂ）に示したジョイントコネクタのＣ−Ｃ線断面図である。
【図１０】図１０は、変形例のジョイント端子の斜視図である。
【図１１】図１１は、（ａ）が図１０に示したジョイント端子の上面図であり、（ｂ）が図１０に示したジョイント端子の前面図であり、（ｃ）が図１０に示したジョイント端子の後面図であり、（ｄ）が図１０に示したジョイント端子の側面図である。
【図１２】図１２は、図１０に示したジョイント端子が組み込まれたジョイントコネクタの断面図である。
【発明を実施するための形態】
【００１４】
以下、図面を参照して、本発明に係るジョイント端子の好適な実施例を詳細に説明する。
【実施例】
【００１５】
図１は、本発明の実施例に係るジョイント端子１の斜視図である。図２は、（ａ）がジョイント端子１の上面図であり、（ｂ）がジョイント端子１の前面図であり、（ｃ）がジョイント端子１の後面図であり、（ｄ）がジョイント端子１の側面図である。図３は、ジョイントコネクタ１００の分解斜視図である。図４は、コネクタハウジング５０の斜視図である。図５は、（ａ）がコネクタハウジング５０の上面図であり、（ｂ）がコネクタハウジング５０の後面図であり、（ｃ）がコネクタハウジング５０の側面図である。図６は、ジョイントコネクタ１００をジョイント端子１が挿入される開口側から視た図である。図７は、（ａ）が図６に示したジョイントコネクタ１００のＡ−Ａ線での断面位置に対応したコネクタハウジング５０およびコネクタハウジング５０に挿入される前のジョイント端子１の断面図であり、（ｂ）が図６に示したジョイントコネクタ１００のＡ−Ａ線断面図である。図８は、（ａ）が図６に示したジョイントコネクタ１００のＢ−Ｂ線での断面位置に対応したコネクタハウジング５０およびコネクタハウジング５０に挿入される前のジョイント端子１の断面図であり、（ｂ）が図６に示したジョイントコネクタ１００のＢ−Ｂ線断面図である。図９は、図７（ｂ）に示したジョイントコネクタ１００のＣ−Ｃ線断面図である。
本発明の実施例に係るジョイント端子１は、車両等の電気配線の分岐部分に用いられるジョイントコネクタ１００に組み込まれる端子である。
ジョイントコネクタ１００は、図３に示すように、ジョイント端子１と、ジョイント端子１が挿入されるコネクタハウジング５０と、を有する。
【００１６】
まず、ジョイント端子１について説明する。
ジョイント端子１は、板状の金属部材に型抜き加工、および、曲げ加工を施したものであり、基部１０と、基部１０から前方に突出された複数の接続部２０と、コネクタハウジング５０へのジョイント端子１の挿入側でのコネクタハウジング５０の開口５０ａを塞ぐカバー部３０と、を有する。
【００１７】
基部１０は、コネクタハウジング５０に圧入される部分となる圧入部１１と、複数の接続部２０が並ぶ面Ｓと圧入部１１との間に段差を形成した段差部１３と、を有する。
【００１８】
圧入部１１は、本体部分となる板状の圧入本体部１２と、圧入本体部１２の両側面に前後に一対ずつ間隔を空けて突設された二対の圧入突起１２ａと、を有する。
【００１９】
この圧入部１１は、複数の接続部２０ａ、２０ｂ、２０ｃ、２０ｄの並び方向の一端側の接続部２０ａから他端側の接続部２０ｄまでの幅よりも小さい幅に設定されている。
【００２０】
接続部２０は、タブ状をなし、根元が基部１０に連結されている。
複数の接続部２０は、ジョイント端子１のコネクタハウジング５０への挿入方向Ｄ（以下、単に「挿入方向」という。）に直交する方向に並んで設けられている。
【００２１】
なお、この実施例では、ジョイント端子１が４つの接続部２０ａ、２０ｂ、２０ｃ、２０ｄを有するものを例示したが、接続部２０の数は４つに限らず、複数であればよい。
【００２２】
また、複数の接続部２０は、基部１０から突出される方向と、並び方向との２方向を軸とて形成される面Ｓに対して面一に並ぶように配置されている。
【００２３】
各接続部２０は、ジョイント端子１の挿入方向Ｄに沿って延び、根元が段差部１３に連結されている。
【００２４】
段差部１３は、複数の接続部２０に対して略直角方向に立ち上がるように複数の接続部２０の根元に連結されている。
この段差部１３は、複数の接続部２０の並び方向の一端側の接続部２０ａから他端側の接続部２０ｄまでの幅で複数の接続部２０を並び方向で連結する連結部１３ａと、連結部１３ａと圧入部１１との間の壁を形成し、連結部１３ａに比して複数の接続部２０の並び方向での幅を小さく設定された幅小壁部１３ｂと、を有する。
【００２５】
段差部１３は、コネクタハウジング５０内へのジョイント端子１の挿入完了位置でコネクタハウジング５０の内壁面を形成する後述の当接壁部６３ａに当接されるようになっている。
すなわち、段差部１３は、コネクタハウジング５０内への挿入方向Ｄでのジョイント端子１の位置決め機能をなしている。
【００２６】
カバー部３０は、挿入方向Ｄに直交する方向に基部１０の後端部から基部１０に対して屈曲して設けられている。
このカバー部３０は、コネクタハウジング５０へのジョイント端子１の挿入側でのコネクタハウジング５０の開口５０ａを塞ぐカバーとして機能するだけでなく、ジョイント端子１をコネクタハウジング５０内に挿入する際に押圧操作する部分として機能されるようになっている。
【００２７】
このようなジョイント端子１は、複数の接続部２０と圧入部１１との間に段差部１３によって段差が設けられることによって、圧入部１１を複数の接続部２０が並ぶ面Ｓと同一の面に設けなくてもよい構成になっている。
このため、ジョイント端子１は、挿入方向Ｄで複数の接続部２０よりも後方に連結される圧入部１１であっても、圧入部１１の幅を複数の接続部２０の並び方向の一端側の接続部２０ａから他端側の接続部２０ｄまでの幅よりも小さく設定することができるようになっている。
【００２８】
次に、コネクタハウジング５０について説明する。
コネクタハウジング５０は、絶縁樹脂材からなり、ブロック状のハウジング本体部６０と、ハウジング本体部６０に対してヒンジ部７１を介して回動可能に連結され、ハウジング本体部６０内に収容された不図示の雌端子をハウジング本体部６０内に設けられた弾性係止片６１ｂとともに係止する２重係止部７０と、を有する。
【００２９】
ハウジング本体部６０は、ジョイント端子１の挿入方向Ｄの一端側の面にジョイント端子１が挿入される開口５０ａが形成されており、他端側の面に複数の雌端子が挿入される複数の端子収容室６１に繋がる開口６１ａが形成されている。
【００３０】
このハウジング本体部６０は、ジョイント端子１の各接続部２０に接続される雌端子がそれぞれ収容される複数の端子収容室６１と、ジョイント端子１の圧入部１１が圧入される部分となる被圧入部６２と、ジョイント端子１の段差部１３が当接される当接壁部６３ａがジョイント端子１が挿入される開口５０ａからジョイント端子１の挿入方向Ｄに凹んだ部分の凹部底壁となる凹部６３と、を有する。
【００３１】
端子収容室６１は、雌端子が挿入される開口６１ａから雌端子の挿入方完了位置まで延びる空間になっている。
この端子収容室６１内には、雌端子を挿入完了位置に係止する弾性係止片６１ｂが設けられている。
【００３２】
被圧入部６２は、ジョイント端子１の板状の圧入本体部１２の両側部が嵌め込まれる一対の溝６２ａ、６２ａを有し、一対の溝６２ａ、６２ａの底面６２ｂの間隔が圧入部１１のそれぞれ対となる圧入突起１２ａの頂点の間隔よりも僅かに小さく設定されている。
【００３３】
凹部６３は、凹部底壁が圧入部１１を被圧入部６２に圧入しつつコネクタハウジング５０内に挿入されたジョイント端子１の段差部１３がコネクタハウジング５０へのジョイント端子１の挿入完了位置で当接される当接壁部６３ａになっている。
【００３４】
２重係止部７０は、ハウジング本体部６０に嵌め込まれることによって各端子収容室６１に収容された雌端子を係止する位置と、ハウジング本体部６０から離脱されることによって各雌端子の係止を解除する位置とで回動可能にヒンジ部７１を介してハウジング本体部６０に連結されている。
この２重係止部７０は、全ての雌端子が端子収容室６１に挿入完了される前の状態では、ハウジング本体部６０から離脱された位置に配置し、全ての雌端子が端子収容室に挿入完了された後にハウジング本体部６０に嵌め込むものである。
【００３５】
次に、ジョイント端子１をコネクタハウジング５０に組み付ける手順について説明する。
まず、作業者は、接続部２０の先端をコネクタハウジング５０の開口５０ａに向けた状態でジョイント端子１を開口５０ａに向かい合う位置に配置する（図７（ａ）、図８（ａ）参照）。
【００３６】
次に、作業者は、コネクタハウジング５０の開口５０ａ内に接続部２０の先端側からジョイント端子１を挿入する。
ここで、作業者が、圧入部１１の両側部が被圧入部６２の一対の溝６２ａ、６２ａに嵌め込まれるようにジョイント端子１をコネクタハウジング５０内に挿入すると、ジョイント端子１はコネクタハウジング５０内に圧入保持された状態で挿入完了位置に向けて誘導される。
なお、作業者は、カバー部３０を押圧操作することによって、ジョイント端子１をコネクタハウジング５０内に挿入する。
【００３７】
作業者は、ジョイント端子１の段差部１３が当接壁部６３ａに当接される位置までジョイント端子１をコネクタハウジング５０内に挿入する（図７（ｂ）、図８（ｂ）参照）。
ジョイント端子１の段差部１３が当接壁部６３ａに当接されることによって、ジョイント端子１がコネクタハウジング５０に挿入完了され、ジョイント端子１をコネクタハウジング５０に組み付ける作業が完了される。
【００３８】
なお、ジョイント端子１がコネクタハウジング５０内に挿入完了されると、カバー部３０によってコネクタハウジング５０の開口５０ａが塞がれる。
【００３９】
本発明の実施例に係るジョイント端子１は、複数の接続部２０ａ、２０ｂ、２０ｃ、２０ｄと圧入部１１との間に段差部１３によって段差が設けられることによって、圧入部１１を複数の接続部２０ａ、２０ｂ、２０ｃ、２０ｄが並ぶ面Ｓと同一の面に設けなくてもよい構成になっている。
このため、本発明に係るジョイント端子１は、ジョイント端子１のコネクタハウジング５０への挿入方向Ｄで複数の接続部２０ａ、２０ｂ、２０ｃ、２０ｄよりも後方に連結される圧入部１１であっても、圧入部１１の幅を複数の接続部２０ａ、２０ｂ、２０ｃ、２０ｄの並び方向の一端側の接続部２０ａから他端側の接続部２０ｄまでの幅よりも小さく設定することができ、しかも、段差部１３をコネクタハウジング５０内への挿入完了位置でコネクタハウジング５０の内壁面に当接される位置決め機能をなす部分として利用することができる。
従って、本発明に係るジョイント端子１は、コネクタハウジング５０への圧入部分の複数の接続部２０ａ、２０ｂ、２０ｃ、２０ｄの並び方向での寸法を小さく抑えることができる。
【００４０】
また、本発明の実施例に係るジョイント端子１は、カバー部３０が、ジョイント端子１のコネクタハウジング５０への挿入方向Ｄに直交する方向に基部１０の後端部から基部１０に対して屈曲して設けられ、かつ、コネクタハウジング５０へのジョイント端子１の挿入側でのコネクタハウジング５０の開口５０ａを塞ぐので、ジョイント端子１をコネクタハウジング５０内に挿入する際にカバー部３０を押圧操作する部分として利用することができ、しかも、ジョイント端子１をコネクタハウジング５０への挿入完了位置に配置することによってコネクタハウジング５０の開口５０ａを塞ぐことができる。
【変形例】
【００４１】
次に、図１０−図１２を用いて本発明の実施例に係るジョイント端子１の変形例について説明する。
図１０は、変形例のジョイント端子２の斜視図である。図１１は、（ａ）が図１０に示したジョイント端子２の上面図であり、（ｂ）が図１０に示したジョイント端子２の前面図であり、（ｃ）が図１０に示したジョイント端子２の後面図であり、（ｄ）が図１０に示したジョイント端子２の側面図である。図１２は、図１０に示したジョイント端子２が組み込まれたジョイントコネクタ２００の断面図である。
【００４２】
この変形例のジョイント端子２は、複数の接続部２０の根元部分周辺を補強する補強部１４を有する点で、実施例のジョイント端子１と異なる。
なお、その他の構成は実施例と同様であり、実施例と同一構成部分には同一符号を付し、その説明を省略する。
【００４３】
ジョイント端子２は、基部１０が、複数の接続部２０と段差部１３との間に複数の接続部２０が並ぶ面Ｓと同一の面を形成して複数の接続部２０の根元に連結される部分となる補強部１４を有する。
【００４４】
補強部１４は、複数の接続部２０の根元と接続部２０の突出方向に対して段差部が略直角に立ち上がる部分との間に設けられ、かつ、複数の接続部２０が並ぶ面Ｓと同一の面が形成された壁である。
【００４５】
このような補強部１４をジョイント端子２に設けることによって、複数の接続部２０の根元周辺の強度が向上し、複数の接続部２０の整列の乱れを防止することができるようになっている。
【００４６】
この変形例のジョイント端子２は、実施例のジョイント端子１と同様に、複数の接続部２０と圧入部１１との間に段差部１３によって段差が設けられることによって、圧入部１１を複数の接続部２０が並ぶ面Ｓと同一の面に設けなくてもよい構成になっている。
このため、ジョイント端子２は、挿入方向Ｄで複数の接続部２０よりも後方に連結される圧入部１１であっても、圧入部１１の幅を複数の接続部２０の並び方向の一端側の接続部２０ａから他端側の接続部２０ｄまでの幅よりも小さく設定することができるようになっている。
【００４７】
この変形例に係るジョイント端子２は、ジョイント端子２のコネクタハウジング５０への挿入方向Ｄで複数の接続部２０ａ、２０ｂ、２０ｃ、２０ｄよりも後方に連結される圧入部１１であっても、圧入部１１の幅を複数の接続部２０ａ、２０ｂ、２０ｃ、２０ｄの並び方向の一端側の接続部２０ａから他端側の接続部２０ｄまでの幅よりも小さく設定することができ、しかも、段差部１３をコネクタハウジング５０内への挿入完了位置でコネクタハウジング５０の内壁面に当接される位置決め機能をなす部分として利用することができる。
従って、本発明に係るジョイント端子２は、実施例のジョイント端子１と同様に、コネクタハウジング５０への圧入部分の複数の接続部２０ａ、２０ｂ、２０ｃ、２０ｄの並び方向での寸法を小さく抑えることができる。
【００４８】
また、変形例に係るジョイント端子２は、カバー部３０が、ジョイント端子２のコネクタハウジング５０への挿入方向Ｄに直交する方向に基部１０の後端部から基部１０に対して屈曲して設けられ、かつ、コネクタハウジング５０へのジョイント端子２の挿入側でのコネクタハウジング５０の開口５０ａを塞ぐことができる。
従って、本発明に係るジョイント端子２は、実施例のジョイント端子１と同様に、ジョイント端子２をコネクタハウジング５０内に挿入する際にカバー部３０を押圧操作する部分として利用することができ、しかも、ジョイント端子２をコネクタハウジング５０への挿入完了位置に配置することによってコネクタハウジング５０の開口５０ａを塞ぐことができる。
【００４９】
さらに、変形例に係るジョイント端子２は、補強部１４が基部１０が複数の接続部２０と段差部１３との間に複数の接続部２０が並ぶ面Ｓと同一の面を形成して複数の接続部２０の根元に連結される部分になっているので、複数の接続部２０の根元周辺の強度が向上し、複数の接続部２０の整列の乱れを防止することができる。
【００５０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５１】
１、２          ジョイント端子
１０            基部
１１            圧入部
１２            圧入本体部
１２ａ          圧入突起
１３            段差部
１３ａ          連結部
１３ｂ          幅小壁部
１４            補強部
２０、２０ａ、２０ｂ、２０ｃ、２０ｄ  接続部
３０            カバー部
５０            コネクタハウジング
５０ａ          開口
６０            ハウジング本体部
６１            端子収容室
６１ａ          開口
６１ｂ          弾性係止片
６２            被圧入部
６２ａ          溝
６２ｂ          底面
６３            凹部
６３ａ          当接壁部（内壁面）
７０            ２重係止部
７１            ヒンジ部
１００、２００  ジョイントコネクタ
Ｓ              面
【図１】
2019096426.tif 000003
【図２】
2019096426.tif 000004
【図３】
2019096426.tif 000005
【図４】
2019096426.tif 000006
【図５】
2019096426.tif 000007
【図６】
2019096426.tif 000008
【図７】
2019096426.tif 000009
【図８】
2019096426.tif 000010
【図９】
2019096426.tif 000011
【図１０】
2019096426.tif 000012
【図１１】
2019096426.tif 000013
【図１２】
2019096426.tif 000014